(57)【特許請求の範囲】
【請求項１】
ランプビーズ（１０）と、
前記ランプビーズ（１０）が取り付けられているランプビーズ取付板（２０）と、
前記ランプビーズ取付板（２０）に接続され、前記ランプビーズ（１０）と距離を置いて前記ランプビーズ（１０）を覆い隠し、少なくとも二つの側面に光出射孔（３１）を有するランプビーズ遮光フェイスマスク（３０）と、を備え、
前記ランプビーズ遮光フェイスマスク（３０）の前記ランプビーズ取付板（２０）に向く側に第１反射面（３２）を有し、前記ランプビーズ取付板（２０）の前記ランプビーズ遮光フェイスマスク（３０）に向く側に第２反射面（２１）を有し、前記ランプビーズ（１０）から出る光線は、前記第１反射面（３２）と前記第２反射面（２１）の反射を経た後、各前記光出射孔（３１）を介して出射され、
前記光出射孔（３１）は、前記ランプビーズ遮光フェイスマスク（３０）の向かい合う両側に設けられ、
少なくとも一部が前記ランプビーズ取付板（２０）と前記ランプビーズ遮光フェイスマスク（３０）の間に設けられている透明ブロック（４０）を更に備え、
前記ランプビーズ取付板（２０）は、長尺構造であり、
前記ランプビーズ遮光フェイスマスク（３０）は、前記長尺構造に合って前記ランプビーズ取付板（２０）とともに直方体構造をなし、
前記ランプビーズ（１０）は複数あり、前記複数のランプビーズ（１０）が前記ランプビーズ取付板（２０）に一列に配置され、
前記光出射孔（３１）は、前記ランプビーズ取付板（２０）の長さ方向に延び、前記複数のランプビーズ（１０）の出光方向の両側に設けられていることを特徴とする発光アセンブリ。
【請求項２】
前記透明ブロック（４０）は、透光ガラス材質で製造されることを特徴とする請求項１に記載の発光アセンブリ。
【請求項３】
前記透明ブロック（４０）は、前記ランプビーズ取付板（２０）と前記ランプビーズ遮光フェイスマスク（３０）との間の空間に埋められ、出光を乱反射させる艶消し面である出光面（４１）を有することを特徴とする請求項１に記載の発光アセンブリ。
【請求項４】
前記ランプビーズ遮光フェイスマスク（３０）は、前記ランプビーズ遮光フェイスマスク（３０）内に設けられ、各前記ランプビーズ（１０）を離間させる仕切り板を含むことを特徴とする請求項１に記載の発光アセンブリ。
【請求項５】
前記透明ブロック（４０）は複数あり、
前記複数の透明ブロック（４０）と前記複数のランプビーズ（１０）とは一対一で対応して設けられており、
前記仕切り板は各前記透明ブロック（４０）を離間させることを特徴とする請求項４に記載の発光アセンブリ。
【請求項６】
請求項１乃至請求項５のいずれか１項に記載の発光アセンブリを複数含むことを特徴とする表示装置。
【請求項７】
請求項１乃至請求項５のいずれか１項に記載の発光アセンブリを複数含み、前記複数の発光アセンブリが積み重ねて設けられることを特徴とする表示装置。
【発明の詳細な説明】
【技術分野】
【０００１】
本発明は、表示装置の技術分野に関し、特に、発光アセンブリと表示装置に関する。
【背景技術】
【０００２】
図１乃至図３に示すように、従来技術では、片面表示装置１が用いられ、即ち、観察者２は、表示装置の正面（片面）のみから見ることができ、仮に側面から見ても、最大の視角が１６０°を超えることができない。観察者２は、側面から見る時、最適視野角などの因子の影響を受けることになる。このように観察者２が見る画像表示の品質はよくない。
【０００３】
上記片面表示装置１の機能は、比較的単純で、空間上その背面は決して見ることができなくて、片面表示装置１の使用率を低下させる。両面画像表示が必要な時には、多くの場合、２つの画面を背中合わせにする方法しかなく、結局投入コストを高め、資源の浪費を齎すことになる。
【発明の概要】
【発明が解決しようとする課題】
【０００４】
本発明は、従来技術において、発光アセンブリの視野角が比較的小さな問題を解決するために、発光アセンブリと表示装置を提供することを主な目的とする。
【課題を解決するための手段】
【０００５】
上記目的を達成するために、本発明の一形態によると、ランプビーズと、ランプビーズが取り付けられているランプビーズ取付板と、ランプビーズ取付板に接続され、ランプビーズと距離を置いてランプビーズを覆い隠し（カバーし）、少なくとも二つの側面に光出射孔を有するランプビーズ遮光フェイスマスクと、を備え、ランプビーズ遮光フェイスマスクのランプビーズ取付板に向く側に第１反射面を有し、ランプビーズ取付板のランプビーズ遮光フェイスマスクに向く側に第２反射面を有し、ランプビーズから出る光線は、第１反射面と第２反射面の反射を経た後、各光出射孔を介して出射される発光アセンブリが提供される。
【０００６】
さらに、光出射孔は、ランプビーズ遮光フェイスマスクの向かい合う両側に設けられている。
【０００７】
さらに、発光アセンブリは、少なくとも一部がランプビーズ取付板とランプビーズ遮光フェイスマスクの間に設けられている透明ブロックを更に含む。
【０００８】
さらに、透明ブロックは、透光ガラス材質で製造される。
【０００９】
さらに、透明ブロックは、ランプビーズ取付板とランプビーズ遮光フェイスマスクとの間の空間に埋められ、出光を乱反射させる艶消し面である出光面を有する。
【００１０】
さらに、ランプビーズ取付板は、長尺構造であり、ランプビーズ遮光フェイスマスクは、長尺構造に合ってランプビーズ取付板とともに直方体構造をなし、ランプビーズは複数あり、複数のランプビーズがランプビーズ取付板に一列に配置され、光出射孔は、ランプビーズ取付板の長さ方向に延び、複数のランプビーズの出光方向の両側に設けられる。
【００１１】
さらに、ランプビーズ遮光フェイスマスクは、ランプビーズ遮光フェイスマスク内に設けられ、各ランプビーズを離間させる仕切り板を含む。
【００１２】
さらに、透明ブロックは複数あり、複数の透明ブロックと複数のランプビーズとは一対一で対応して設けられており、仕切り板は各透明ブロックを離間させる。
【００１３】
本発明の他の一形態によると、前記発光アセンブリを複数含む表示装置が提供される。
【００１４】
本発明の他の一形態によると、前記発光アセンブリを複数含み、複数の発光アセンブリが積み重ねて設けられる表示装置が提供される。
【発明の効果】
【００１５】
本発明の技術案によれば、発光アセンブリのランプビーズが発光するとき、発光アセンブリの少なくとも二つの側面にある光出射孔を介して光線を放出し、上記の構造は、発光アセンブリの前面側のみで出光する従来の発光アセンブリの構造を改良し、出光の視野角を拡大し、必要に応じて発光アセンブリの出光方向を柔軟に設定することができる。本発明の技術案により、従来技術における発光アセンブリの視野角が小さいという問題を効果的に解決する。
【００１６】
本願の一部を構成する明細書用図面は、本発明をさらに理解させるためのものであり、また、本発明における模式的実施例及びその説明は本発明を説明するものであり、本発明を不当に限定するものではない。図面において、
【図面の簡単な説明】
【００１７】
【図１】従来技術における表示装置の実施例の出光を示す図である。
【図２】図１の表示装置の出光範囲を示す図である。
【図３】図１の表示装置の使用状態を示す図である。
【図４】本発明に係る発光アセンブリの実施例の構造を示す図である。
【図５】図４の発光アセンブリの出光範囲を示す図である。
【図６】図５の発光アセンブリを表示装置に組み立てる場合を示す図である。
【発明を実施するための形態】
【００１８】
なお、衝突しない限り、本願の実施例及び実施例中の構成要件を組み合わせることができる。以下、図面を参照しつつ実施例を結合して本発明を詳しく説明する。
【００１９】
以下の詳細な実施例はすべて典型的で、本願に対して更に説明を提供することを目的とする。特に明記しない限り、本文で使用するすべての技術的及び科学的用語は、本願が属する技術領域の当業者が一般的に理解するのと同じ意味を持つ。
【００２０】
説明に便利のため、ここで「…の上」、「…の上方」、「…の上表面」、「上側の」などのような空間上の相対的な用語は、図面で示す部品又は特徴と、他の部品又は特徴との、空間的な位置関係を説明することに用いられる。空間の相対的な用語は、図面上に示す部品の方位のみにならず、使用又は操作中の異なる方位を含む。例えば、もし図面の中の部品が逆に置かれる場合は、「他の部品又は構造の上方」又は「他の部品又は構造の上」に位置する部品が、「他の部品又は構造の下方」又は「他の部品又は構造の下」に位置付けられることがある。したがって、典型的な用語「…の上方」は「…の上方」と「…の下方」のような二つの方位を含むことができる。この部品も、他の方式で位置付けられてもよい（９０°回転又は他の方位に置かれる）、ここで使用する空間上の相対的な説明について、適切な解釈を与えることができる。
【００２１】
図面を参照して、本発明に係る典型的な実施の形態をより詳しく説明する。しかし、これらの典型的な実施の形態は、様々な形式で実施することができ、ここで詳しく説明する実施の形態のみに限定されると解釈してはならない。これらの実施の形態を提供することは、本発明を徹底的で、完全に公開し、また、これらの典型的な実施の形態の構想を、当業者に十分に伝達するためである。図面は、説明をより明確にするため、層およびエリアの厚さを拡大し、同じ部品に同一の符号を付して、詳細な説明を適宜省略する。
【００２２】
図４に示すように、本実施例の発光アセンブリは、ランプビーズ１０と、ランプビーズ取付板２０と、ランプビーズ遮光フェイスマスク３０と、を含む。ランプビーズ１０は、ランプビーズ取付板２０に取り付けられる。ランプビーズ遮光フェイスマスク３０は、ランプビーズ取付板２０に接続され、ランプビーズ１０を覆い隠し、ランプビーズ１０と距離を置く。ランプビーズ遮光フェイスマスク３０は少なくとも二つの側面に光出射孔３１を備える。ランプビーズ遮光フェイスマスク３０のランプビーズ取付板２０に向く側に第１反射面３２を有し、ランプビーズ取付板２０のランプビーズ遮光フェイスマスク３０に向く側に第２反射面２１を有する。ランプビーズ１０から出る光線は、第１反射面３２と第２反射面２１の反射を経た後、各光出射孔３１から出射される。
【００２３】
本実施例の技術案によると、発光アセンブリのランプビーズ１０が発光するとき、発光アセンブリの少なくとも二つの側面にある光出射孔３１を介して光線が放出され、上記の構造は、発光アセンブリの前側のみで出光する伝統的な発光アセンブリの構造を改良し、出光の視野角を拡大し、必要に応じて発光アセンブリの出光方向を柔軟に設定することができる。本発明の技術案により、従来技術における発光アセンブリの視野角が小さいという問題を効果的に解決する。
【００２４】
もちろん、当業者なら知っているように、ランプビーズ１０から出る光線は、光出射孔３１から出射されるように、第１反射面３２と一定の角度をなすことが必要となる。ランプビーズ１０から出る光線が第１反射面３２と一定の角度をなすようにするために、発光するランプビーズ１０を図４に示すように、斜面に設け、これにより、ランプビーズ１０から出る光線が第１反射面３２と第２反射面２１との協働のもとに光出射孔３１から放出されることができる。ランプビーズ１０から出る光線と第１反射面３２は、他の形態で設けられることができ、例えば、第１反射面３２は傾斜構造で設けられてもよい。
【００２５】
図４に示すように、本実施例の技術案において、光出射孔３１は、ランプビーズ遮光フェイスマスク３０の向かい合う両側に設けられる。このように、発光アセンブリの出光時、発光アセンブリの互いに向き合った両側から、ランプビーズ１０が発する光線を見ることができる。上記の構造によって、観察者が発光アセンブリから、ランプビーズ１０が発する光線を見ることが容易になる。具体的に、光線経路５０を図４に示す。
【００２６】
図４に示すように、本実施例の技術案において、発光アセンブリは、少なくとも一部がランプビーズ取付板２０とランプビーズ遮光フェイスマスク３０の間に設けられる透明ブロック４０を更に含む。これにより、透明ブロック４０は、ランプビーズ遮光フェイスマスク３０を支持することができ、第１反射面３２と第２反射面２１の変形によって光出射孔３１から出射されるランプビーズ１０の光線の路線が変形することに起因して、視覚効果に影響を与えることを防止することができる。具体的には、透明ブロック４０は、透光ガラス材質で製造される。もちろん、当業者なら知っているように、透明ブロック４０は、光線を高効率的に伝える光学レンズであればよい。このように、光線の輝度損失を減らすことができる。より具体的に光出射孔３１は、ランプビーズ取付板２０とランプビーズ遮光フェイスマスク３０の両方によって形成され、透明ブロック４０の二つの出光面は光出射孔３１の外側にあることができ、各出光面の面積は、光出射孔３１よりも大きく、透明ブロック４０の出光面と透明ブロック４０の透光ブロック本体との間には、ネッキングがあり、そしてネッキングの位置に光出射孔３１の外側縁が係合して設けられる。もちろん、当業者なら知っているように、光出射孔３１は、ランプビーズ遮光フェイスマスク３０に形成されてもよく、すなわち、ランプビーズ遮光フェイスマスク３０の側辺に光出射孔３１を掘って設けることができる。
【００２７】
図４に示すように、本実施例の技術案において、透明ブロック４０は、ランプビーズ取付板２０とランプビーズ遮光フェイスマスク３０との間の空間に埋められ、透明ブロック４０は、出射光を乱反射させる艶消し面である出光面４１を有する。上記の構造によって、発光アセンブリの出光角度を拡大するとともに、見る光線をより柔らかくして、観察者により快適な感覚を与える。
【００２８】
図４に示すように、本実施例の技術案において、ランプビーズ取付板２０は、長尺構造であり、ランプビーズ遮光フェイスマスク３０は、長尺構造に合ってランプビーズ取付板２０とともに直方体構造をなし、ランプビーズ１０は複数あり、複数のランプビーズ１０がランプビーズ取付板２０に一列で配置される。光出射孔３１は、ランプビーズ取付板２０の長さ方向に延び、複数のランプビーズ１０の出光方向の両側に設けられる。上記の構造によって、発光アセンブリの同じ側に、似合う出光結像システムを有することになる。もちろん、当業者なら知っているように、同一のランプビーズ取付板２０の両側の出光によって形成される画像は同じである。さらに、発光アセンブリの、光出射孔３１を有する二つの側面の各側面は、複数の光出射孔３１があり、具体的には、各側面の光出射孔３１の数とランプビーズ１０の数は同じである。各ランプビーズ１０から出る光線は、当該ランプビーズ１０に対応する二つの光出射孔３１から出射されることができる。
【００２９】
図４に示すように、本実施例の技術案において、ランプビーズ遮光フェイスマスク３０は、ランプビーズ遮光フェイスマスク３０内に設けられ、各ランプビーズ１０を離間させる仕切り板を含む。上記の構造によって、複数のランプビーズ１０から出る光線の相互干渉を効果的に防止する。
【００３０】
図４に示すように、本実施例の技術案において、透明ブロック４０は複数があり、複数の透明ブロック４０と複数のランプビーズ１０とは一対一で対応して設けられ、仕切り板は各透明ブロック４０を離間させる。上記の構造によって、発光アセンブリの維持や、メンテナンスを便利にし、透明ブロック４０の一つが破損したとき、この破損した透明ブロック４０のみを交換すればよい。
【００３１】
図４乃至図６に示すように、本発明は表示装置を更に提供する。本発明に係る表示装置の実施例は複数の上記の発光アセンブリを含む。上記の構造は、表示の多様性を満足するようにディスプレースクリーン全体を形成するのに有利である。従来技術における表示装置の出光角度を１４０°として計算すると、その出光時の空間充填率は４６．７％である。本実施例の出光の充填率は９３．４％である。本発明において、２５ｍｍ間隔のＬＥＤライトバースクリーンで毎平方メートル当たりの画素数は１６００点であり、単一のランプビーズの明るさは２ｃｄであり、その場合従来の片面表示装置の明るさは最高３２００ｃｄ/ｍ２に達し、レンズの予測輝度損失は約２５％であるが、本発明の表示装置は、各面の明るさが３２００ｃｄ/ｍ２×（１-２５％）×０．５ =  １２００ｃｄ/ｍ２である。各面の１２００ｃｄ/ｍ２の明るさは、使用の要求を完全に満たし、ランプビーズの数量を増やすことなく、画像の両面表示機能を実現できる。本発明の表示装置は、必要に応じて任意に配置して画像表示要求を満足することができる。
【００３２】
本実施例の表示装置では、発光アセンブリは、ランプビーズ１０と、ランプビーズ取付板２０と、ランプビーズ遮光フェイスマスク３０と、を含む。ランプビーズ１０は、ランプビーズ取付板２０に取り付けられる。ランプビーズ遮光フェイスマスク３０は、ランプビーズ取付板２０に接続され、ランプビーズ１０を覆い隠し、ランプビーズ１０と距離を置く。ランプビーズ遮光フェイスマスク３０は少なくとも二つの側面に光出射孔３１を備える。ランプビーズ遮光フェイスマスク３０のランプビーズ取付板２０に向く側に第１反射面３２を有し、ランプビーズ取付板２０のランプビーズ遮光フェイスマスク３０に向く側に第２反射面２１を有する。ランプビーズ１０から出る光線は、第１反射面３２と第２反射面２１の反射を経た後、各光出射孔３１を介して出射される。
【００３３】
本実施例の表示装置の発光アセンブリのランプビーズ１０は、発光時に、発光アセンブリの少なくとも二つの側面にある光出射孔３１を介して光線を出す。上記の構造は、発光アセンブリの前側のみで出光する伝統的な発光アセンブリの構造を改良し、出光の視野角を拡大し、必要に応じて発光アセンブリの出光方向を柔軟に設定することができる。本実施例の技術案により、従来技術における発光アセンブリの視野角が小さいという問題を効果的に解決する。
【００３４】
図４乃至図６に示すように、本発明は表示装置を更に提供する。本発明に係る表示装置の実施例は、積み重ねて設けられる複数の上記の発光アセンブリを含む。上記表示装置の複数の発光アセンブリが積み重ねて設けられることで、向き合う両側の出光スクリーンが形成される。上記の構造は、必要に応じて、必要とする場所に設けることができ、例えば、図３に示すように、従来技術における高速道路上のビルボードは、通常、背中合わせに設けられた二つの片面表示装置１であって、観察者２は、高速道路のどの方向でもビルボード上の情報を見ることができるが、上記の構造の製造コストは比較的高く、取り付けが比較的複雑である。図６に示すように、本発明では、一つの表示装置１００のみで、従来技術における背中合わせに設けられた二つの片面表示装置１を実現することができる。また、従来技術において背中合わせに設けられた二つの片面表示装置１が一定の角度で設けられることに対し、本発明において、一つの表示装置１００の対向する両面が平行であるが、第１反射面３２と第２反射面２１との間に合理的な反射角を設定することによって、光線経路５０が表示要求を満足させるようにし、具体的には、第１反射面３２と第２反射面２１の反射角を設定することで、表示装置１００の向かい合う二つの面から出る光線と表示装置１００の向かい合う二つの面が一定の角度を成すようにすることができる。さらに、本発明は、ホテルのビルボードにも適用することができ（図示省略）、同様に二つの片面表示装置１を設ける必要がなく、第１反射面３２と第２反射面２１の反射角度に応じて調整を行い、多様な視野角での使用要求を満足させることができる。
【００３５】
本実施例の表示装置では、発光アセンブリは、ランプビーズ１０と、ランプビーズ取付板２０と、ランプビーズ遮光フェイスマスク３０と、を含む。ランプビーズ１０は、ランプビーズ取付板２０に取り付けられる。ランプビーズ遮光フェイスマスク３０は、ランプビーズ取付板２０に接続され、ランプビーズ１０を覆い隠し、ランプビーズ１０と距離を置く。ランプビーズ遮光フェイスマスク３０は少なくとも二つの側面に光出射孔３１を備える。ランプビーズ遮光フェイスマスク３０のランプビーズ取付板２０に向く側に第１反射面３２を有し、ランプビーズ取付板２０のランプビーズ遮光フェイスマスク３０に向く側に第２反射面２１を有する。ランプビーズ１０から出る光線は、第１反射面３２と第２反射面２１の反射を経た後、各光出射孔３１を介して出射される。
【００３６】
本実施例の表示装置の発光アセンブリのランプビーズ１０は、発光時に、発光アセンブリの少なくとも二つの側面にある光出射孔３１を介して光線を出す。上記の構造は、発光アセンブリの前側のみで出光する伝統的な発光アセンブリの構造を改良し、出光の視野角を拡大し、必要に応じて発光アセンブリの出光方向を柔軟に設定することができる。本実施例の技術案により、従来技術における発光アセンブリの視野角が小さいという問題を効果的に解決する。
【００３７】
なお、ここで使用された用語は、ただ具体的な実施の形態を説明するためのものであり、本発明に係る典型的な実施の形態を意図的に限定するものではない。ここで使用されるように、文脈が明らかに他を示さない限り、単数形式は、複数の形式も含む。また、本明細書で用語「含む」とか、「備える」とか、を使用する時、特徴、手順、操作、部品（デバイス）、アセンブリ及び/又はそれらの組み合わせが存在することを示す。
【００３８】
なお、本発明の明細書、特許請求の範囲、及び上記図面中の用語「第１」、「第２」などは、特定の順序又は優先順位を示すものではなく、類似している対象を区別するために使用されるものである。このように使用される用語は、ここで説明する本発明の実施の形態が、例えばここで図示するまたは説明する順序以外の順序で実施できるように、場合によって取り替えることができる。また、用語「含む」や、「備える」、それらの任意の変形は、非排他的な包含をカバーし、例えば、一連のステップやユニットのうち、過程、方法、システム、製品又は機器の、明記されたステップやユニットのほかに、明記されていないステップやユニット、これらの過程、方法、製品又は機器に固有の手順やユニットも含んでも良い。
【００３９】
以上は、本発明の好適な実施例に過ぎず、本発明を限定することは意図しておらず、当業者であれば、本発明に様々な変更や変形が可能である。本発明の思想や原則内の如何なる修正、均等の置き換え、改良なども、本発明の保護範囲内に含まれるべきである。
【符号の説明】
【００４０】
１  片面表示装置
２  観察者
１０  ランプビーズ
２０  ランプビーズ取付板
２１  第２反射面
３０  ランプビーズ遮光フェイスマスク
３１  光出射孔
３２  第１反射面
４０  透明ブロック
４１  出光面
５０  光線経路
１００  表示装置
【図１】
0006421214.tif 000002
【図２】
0006421214.tif 000003
【図３】
0006421214.tif 000004
【図４】
0006421214.tif 000005
【図５】
0006421214.tif 000006
【図６】
0006421214.tif 000007